(57)【要約】      （修正有）【課題】エアゾールの内容物の種類、濃度、量等に応じて、エアゾールからの内容物の噴射を制御するエアゾール作動装置を提供する。【解決手段】エアゾールが本体内に受け入れられることを可能にし、且つ受け入れられたエアゾールを保持することが可能である収容部１ａと、エアゾールからの内容物を噴射させるよう、エアゾールのステム５ｂを押し下げて、弁を開口させるための弁駆動機構２ａ〜２ｅと、弁駆動機構を含め、エアゾール作動装置自体の動作を制御するためのコントローラー３とを有し、収納部内にセンサー４ａ〜４ｃを有してエアゾール上のマークを検知し、前記コントローラーがセンサーにより検知されたマークに基づいてエアゾール作動装置自体の動作を制御する、エアゾール作動装置。【選択図】図１
2012076036.tif 000002
【特許請求の範囲】
【請求項１】
エアゾールが本体内に受け入れられることを可能にし、且つ受け入れられたエアゾールを保持することが可能である収容部と、
エアゾールからの内容物を噴射させるよう、エアゾールのステムを押し下げて、弁を開口させるための弁駆動機構と、
弁駆動機構を含め、エアゾール作動装置自体の動作を制御するためのコントローラーとを有し、
収納部内にセンサーを有してエアゾール上のマークを検知し、前記コントローラーがセンサーにより検知されたマークに基づいてエアゾール作動装置自体の動作を制御する、エアゾール作動装置。
【請求項２】
センサーが、エアゾール上の単数または複数の被検知部分を有するマークを検知する、請求項１に記載のエアゾール作動装置。
【請求項３】
コントローラーが弁駆動機構を一定時間ごとに作動させて、エアゾールからの内容物を一定時間ごとに噴射させるように制御する、請求項２に記載のエアゾール作動装置。
【請求項４】
マークの複数の被検知部分のパターン或いは数がエアゾールの内容物量に対応しており、センサーによって検知されたマークがコントローラー内に記録される複数の所定のマークのパターン或いは数の内の一つに一致している場合、そのパターンに基づいて、弁駆動機構の動作がエアゾールの内容物量がなくなるだけの回数に達したとき、音、ＬＥＤの点灯または点滅、液晶表示などによって交換時期であることを知らせる、請求項１から請求項３のいずれか一項に記載のエアゾール作動装置。
【請求項５】
マークの複数の被検知部分のパターン或いは数がエアゾールの内容物の処方に対応しており、センサーによって検知されたマークがコントローラー内に記録される複数の所定のマークのパターン或いは数の内の一つに一致している場合、コントローラーがそのパターンに基づいて、弁駆動機構の作動する時間間隔を制御する、請求項１から請求項３のいずれか一項に記載のエアゾール作動装置。
【請求項６】
エアゾールは、噴射されるべき内容物を収容し且つ前記ステムおよび弁を備える密封容器と、密封容器上に取り付けられたカバーとを備え、単数または複数の被検知部分を有するマークが、カバー上に配置される、請求項１から請求項５のいずれか一項に記載のエアゾール作動装置。
【請求項７】
マークは、溝、非溝、突起、非突起あるいは印刷された領域をセンサーによる被検知部分として含む、請求項１から請求項６のいずれか一項に記載のエアゾール作動装置。
【請求項８】
マークは、噴射されるべき内容物を収容し且つ前記ステムを備える密封容器上に取り付けられたカバーの有無である、請求項１から請求項５のいずれか一項に記載のエアゾール作動装置。
【請求項９】
エアゾールからの噴射を制御するためのエアゾール作動装置であり、
本体にして、エアゾールが挿入方向に移動されて本体内に受け入れられることを可能にし、且つ受け入れられたエアゾールを保持することが可能である本体と、
エアゾールからの内容物を噴射させるよう、エアゾールのステムを開口させるための弁駆動機構と、
弁駆動機構の動作を制御するためのコントローラーと、を有するエアゾール作動装置において、
本体は、挿入方向に直角な方向においてエアゾールと並置されるセンサーを有してエアゾール上のマークを検知し、コントローラーはセンサーにより検知されたマークに基づき弁駆動機構の動作を制御する、エアゾール作動装置。
【請求項１０】
センサーは、挿入方向においてエアゾール上に並べられる複数の被検知部分を有するマークを検知する、請求項９に記載のエアゾール作動装置。
【請求項１１】
コントローラーは、検知されたマークの複数の被検知部分のパターン或いは数が、コントローラー内に記録される複数の所定のマークの内の一つの複数の被検知部分のパターン或いは数に一致しない時、弁駆動機構がエアゾールのステムを開口させることを防止する、請求項１０に記載のエアゾール作動装置。
【請求項１２】
エアゾールは、噴射されるべき内容物を収容し且つ前記ステムを備える密封容器と、密封容器上に取り付けられたカバーとを備え、挿入方向においてエアゾール上に並べられる複数の被検知部分を有するマークが、カバー上に配置される、請求項１０又は請求項１１に記載のエアゾール作動装置。
【請求項１３】
マークは、溝、突起あるいは印刷された領域をセンサーによる被検知部分として含む、請求項９から請求項１２のいずれか一項に記載のエアゾール作動装置。
【請求項１４】
マークは、噴射されるべき内容物を収容し且つ前記ステムを備える密封容器上に取り付けられたカバーの有無である、請求項９に記載のエアゾール作動装置。
【発明の詳細な説明】
【技術分野】
【０００１】
本発明は、エアゾールからの噴射を制御するためのエアゾール作動装置に関する。
【背景技術】
【０００２】
エアゾールからの噴射を制御するための従来のエアゾール作動装置は、エアゾール作動装置内での挿入方向におけるエアゾールの位置を検出することにより、エアゾールがエアゾール作動装置内に確実に挿入されたことを確認し、エアゾールからの噴射を許可していた。
また、エアゾールからの噴射を制御するための従来の（特許文献１が開示する）エアゾール作動装置は、タイマーを備えて、所定時間毎にエアゾールからの噴射を許可していた。
【先行技術文献】
【特許文献】
【０００３】
【特許文献１】特開２００４−２９８７８０号公報
【発明の概要】
【発明が解決しようとする課題】
【０００４】
本発明は、従来技術では達成されなかった、エアゾールの内容物の種類、濃度、量等に応じて、エアゾールからの内容物の噴射を制御するエアゾール作動装置を提供することであり、更に、エアゾールの内容物に関する検知を、エアゾールのエアゾール作動装置内への挿入の正確な検知と同時に行なうことができる、エアゾール作動装置を提供することである。
【課題を解決するための手段】
【０００５】
本発明によれば、エアゾールからの噴射を制御するためのエアゾール作動装置は、エアゾールが本体内に受け入れられることを可能にし、且つ受け入れられたエアゾールを保持することが可能である本体と、エアゾールからの内容物を噴射させるよう、エアゾールのステム（その長手方向に延びる中心穴を備え、エアゾールの内容物を収容するエアゾールの主部に対して長手方向に平行に押し込まれたり、主部の高さ方向（主部の長手方向、主部の軸線（主部がそれに対して軸対称形を形成する）の方向或いは主部の挿入方向）に対してその長手方向が傾けられたりすると、中心穴が開口されてエアゾールの内容物が中心穴から外部へ噴射される）を開口させるための弁駆動機構（中心穴を開口させるためのステムと主部との間の上記相対移動を発生させる、ソレノイド、モーターとリンクの組合せ、モーターとカムとの組合せ等）または開口状態のエアゾールの弁と外部との同通を制御する噴霧デバイス（特表２００９−５１１２７０に開示されるような）と、弁駆動機構の動作を制御するためのコントローラーと、を有し、
本体は、エアゾール主部の長手方向（＝主部の高さ方向、主部の軸線（主部がそれに対して軸対称形を形成する）の方向或いは主部の挿入方向）に直角な方向においてエアゾールと並置されるセンサーを有してエアゾール上のマークを検知し、コントローラーはセンサーにより検知されたマークに基づき弁駆動機構の動作を制御する。
コントローラーはセンサーにより検知されたマークに基づき弁駆動機構の動作を制御するので、エアゾールの挿入動作に伴い、マークが示すエアゾールの内容物の種類、濃度、量等の少なくとも一つに関する情報がコントローラーにより把握され、エアゾールの内容物の種類、濃度、量等の少なくても一つに応じたエアゾールの内容物の噴射制御が実行可能となる。
更に、センサーは、エアゾール上に並べられる複数の被検知部分を有するマークを検知し、コントローラーはセンサーにより検知されたマークに基づき弁駆動機構の動作を制御しても良い。センサーは、挿入方向において並べられるエアゾール上に配置される複数の被検知部分を有するマーク（エアゾールの内容物の種類、濃度、量等の少なくても一つに対応する、バーコード等）を検知するので、エアゾール上に挿入方向において並べられる複数の被検知部分の検出により、エアゾールの位置の検出も確実となる。
センサーは、本体内の所定の位置に配置されたエアゾール上に並べられる（間隔を置いて並べられても良いし連結されていても良い）複数の被検知部分に対応して本体上に並べられる複数の検知部分を有しても良いし、エアゾール上に間隔を置いて並べられる複数の被検知部分の数をエアゾールの挿入移動時に計数するセンサーであっても良い。エアゾール上に並べられる複数の被検知部分がバーコードを形成し、センサーがバーコードを走査するバーコードリーダーであっても良い。
【０００６】
コントローラーが、検知されたマークの複数の被検知部分のパターン或いは数がコントローラー内に記録される複数の所定のマークの内の一つの複数の被検知部分のパターン或いは数に一致しない時、弁駆動機構がエアゾールのステムを開口させることを防止するならば、内容物が噴射されても良いエアゾールが本体内に確実に挿入されたことを確認した上での、エアゾール内容物の噴射が行なわれる。
【０００７】
マークは、溝、リブ、突起あるいは印刷された領域（例えば、印刷された縞模様或いはバーコード）をセンサーによる被検知部分として含むことが好適である。
【０００８】
エアゾールは、噴射されるべき内容物を収容し且つ前記ステムを備える弁、噴射されるべき内容物を収納する主部、主部上に取り付けられたカバーとを備え、エアゾール上に並べられる複数の被検知部分を有してエアゾールの内容物の種類、濃度、量等の少なくても一つに対応する、バーコード等のマークが、カバー上に配置されるならば、使用される密封容器がマークの所定の（正確にコントローラーに解読可能な）様式を有する必要が無く、更に、エアゾール内容物或いは密封容器に関する情報以外にも、所望の追加情報をコントローラーに伝達することも可能となる。
マークは、噴射されるべき内容物を収容し且つ前記ステムを備える密封容器上に取り付けられたカバーの有無であるならば、エアゾール内容物或いは密封容器に関する情報等を、カバーの脱着のみで、コントローラーに伝達することが可能となる。
【図面の簡単な説明】
【０００９】
【図１】本発明の一実施例を示す部分断面図
【図２】本発明において使用されるエアゾールの側面図
【図３】図２に示されるエアゾールの正面図
【図４】本発明において使用されるもう一つのエアゾールの側面図
【図５】図４に示されるもう一つのエアゾールの正面図
【図６】本発明の被検知部分のパターンのバリエーションを示す概略図
【図７】本発明の更にもう一つの実施例を示す概略図
【図８】本発明の被検知部分のパターンのもう一つのバリエーションを示す概略図
【図９】本発明の被検知部分のパターンの更にもう一つのバリエーションを示す概略図
【図１０】本発明のもう一つの一実施例を示す部分断面図
【図１１】本発明の更にもう一つの一実施例を示す部分断面図
【発明を実施するための形態】
【００１０】
本発明のエアゾール作動装置に使用されるエアゾールは、例えば、図１、図２、図３、図４、図５に示すように、噴射されるべき内容物を収容する主部５ａと、主部５ａに向かって押し込まれることによりその中心穴５ｄを介して内容物がエアゾール外へ噴射されることを可能にするステム５ｂ（ステム５ｂに向かって主部５ａが押し込まれて中心穴を介して内容物がエアゾール外へ噴射されることを可能にされても良い。また、主部５ａの長手方向に対してステム５ｂの長手方向が傾けられて、中心穴を介して内容物がエアゾール外へ噴射されることを可能にされても良い。）と、必要な場合は、その中心穴５ｅがステムの中心穴５ｄと同通し、ステム５ｂに嵌合するパーツ９（エアゾール業界においてはアクチュエーターと呼ばれることが多く、エアゾールのバルブ本体と連結し内容物を放出させるための作動部であり、ボタン、泡沫用スパウト、キャップとセットになったボタン（ワンタッチキャップ）等がある。）を有している。主部５ａには単数または複数の突起又は溝等が形成されてエアゾール主部５ａはその長手方向の軸線に対して軸対称形となっている。パーツ９は、エアゾールの内容物を霧状に噴出させるためのノズル孔を、その先端に有している。
【００１１】
主部５ａ上には、単数または複数の突起又は溝等が形成され、これらが被検知部分６ａ，６ｂ，６ｃとなり、マーク６ｄが形成される。被検知部分６ａ，６ｂ，６ｃは、図１に示されるように主部５ａ上の溝と非溝の組み合わせであっても良いし、突起と非突起の組み合わせであっても良い。また、被検知部分６ａ，６ｂ，６ｃは、主部５ａ上に印刷された領域と印刷されてない領域の組み合わせであっても良い。
それらの組合せ間の被検知部分６ａ，６ｂ，６ｃの配列パターンにおける違い或いは計数される被検知部分６ａ，６ｂ，６ｃの数の違いは、エアゾールの内容物の種類、濃度及び／又は量等の違いに対応し、エアゾール作動装置の作動制御に利用される。例えば、図１に示されるように、被検知部分６ａ，６ｂ，６ｃの組合せ間の配列パターンにおける違いは、エアゾールの内容物の使用可能期間の違いに対応し、エアゾール作動装置の作動回数が使用可能回数に達したとき、交換時期であることを知らせる。交換時期を知らせる方法は、音、ＬＥＤランプの点灯または点滅、液晶表示などが良い。
【００１２】
エアゾールは更に、図６に示されるように、主部５ａの少なくとも一部を（場合によっては肩部５ｃをも）覆って固定されるカバー５ｇを追加して有しても良く、更に、被検知部分６ａ，６ｂ，６ｃは、カバー５ｇ上に並べられる。
【００１３】
エアゾール作動装置は、図１に示されるように、エアゾールを収容するための収容部１ａと、ステム５ｂまたはステム５ｂに装着されたパーツ９を押し下げて内容物を噴霧させるための駆動部材２ａと、駆動部材２ａを駆動させるためのギア２ｂ、２ｃ、２ｄ、モーター２ｅから構成される弁駆動機構と、被検知部分６ａ，６ｂ，６ｃの検知された配列パターンにおける違い或いは計数された被検知部分６ａ，６ｂ，６ｃの数に応じて弁駆動機構の動作を制御するコントローラー３と、被検知部分６ａ，６ｂ，６ｃの配列パターンまたは数を読取るための図１に示されるようなセンサー部分４ａ，４ｂ，４ｃ（プッシュスイッチ）を有する。エアゾール作動装置の弁駆動機構は、モーターとギアによって駆動部材２ａを駆動させてステム５ｂまたはパーツ９を押し込む駆動機構に限らず、ソレノイドによってステム５ｂまたはパーツ９を押し込む駆動機構、または開口状態のエアゾールの弁と外部との同通を制御する噴霧デバイス（特表２００９−５１１２７０に開示されるような）でも良い。
【００１４】
エアゾールの主部５ａは長手方向について軸対称形であり、収容部１ａ内にて長手方向を軸として回転した場合でもセンサー部分４ａ，４ｂ，４ｃと被検知部分６ａ，６ｂ，６ｃとの位置整合が維持される。
また、エアゾールにカバー５ｇが追加されていても良い。その場合、カバー５ｇの形状はエアゾールの主部５ａは長手方向について軸対称形、非軸対象形かは問わないが、収容部１ａはエアゾールが、主部５ａの長手方向の軸に対する回転を除き、その長手方向以外の方向には動かない形状とする。
【００１５】
コントローラー３は、エアゾールの内容物の種類または濃度または量またはこれらの組み合わせなどに対応する被検知部分６ａ，６ｂ，６ｃの配列パターン或いは被検知部分６ａ，６ｂ，６ｃの数を感知したセンサーからの継続的なアウトプットに応じて、駆動部材２ａがステム５ｂ、場合によってはパーツ５ｆを押し込むためにモーター２ｅとギア２ｂ、２ｃ、２ｄの駆動を指令してエアゾールを噴霧させる時間的な間隔を制御したり、駆動部材２ａがステム５ｂ、場合によってはパーツ９を押し込むためにモーター２ｅとギア２ｂ、２ｃ、２ｄの駆動を指令した回数をカウントして、それがエアゾールの使用可能回数に達したとき、音、ＬＥＤの点灯または点滅、液晶表示などでエアゾールの交換時期であることを知らせる。
【００１６】
図７は、更にもう一つの本発明の実施例を示す。
ステム５ｂ上には、ステム５ｂに嵌合し、その中心穴５ｅと同通する貫通穴（口径０．２〜１．５ｍｍ）を備えるパーツ９が装着され、パーツ９を介してステム５ｂが駆動され、ステム５ｂの中心穴からパーツ９の貫通穴を経て、エアゾールの内容物が外部へ噴霧される。
また、カバー５ｈが、主部５ａの少なくとも一部と肩部５ｃ一部を覆ってエアゾール上に装着され、カバーｈを伴わないエアゾールに比して、内容物の種類、濃度、量等における差を表している。
カバー５ｅの装着の有無は、エアゾール作動装置の収容部１ａに固体されエアゾールの主部５ａの長手方向に対して直角な方向にロッド１０ａが動作するプッシュスイッチ１０により、肩部５ｃと接触した状態で本体１ａ内に収容されたエアゾールから検知される。カバー５ｈが装着されたエアゾールの収容部１ａ内への挿入に際しては、カバー５ｈ上の傾斜面及び／又はプッシュスイッチ１０のロッド１０ａの先端の傾斜面により、カバー５ｈによるロッド１０ａの押し込みが円滑に行なわれる。
プッシュスイッチ１０により検知されたカバー５ｈの装着の有無に基づき、駆動部材２ａがパーツ９を押し込むためにモーター２ｅとギア２ｂ、２ｃ、２ｄの駆動を指令してエアゾールを噴霧させる時間的な間隔を制御したり、駆動部材２ａがステム５ｂ、場合によってはパーツ９を押し込むためにモーター２ｅとギア２ｂ、２ｃ、２ｄの駆動を指令した回数をカウントして、それがエアゾールの使用可能回数に達したとき、音、ＬＥＤの点灯または点滅、液晶表示などでエアゾールの交換時期であることを知らせる。
【００１７】
図８、図９はマークを形成する被検知部分のパターンのセンサーの感知、非感知の状態の組み合わせの一例である。下図には、被検知部分が３つ存在し、それを検出するセンサーが３つ存在する場合における被検知部分の形状パターンとそれに対応する内容物、センサーの感知状態、エアゾール作動装置の作動パターンを一例として記載する。この例では、駆動部材２ａの駆動によるエアゾールの噴射はコントローラー３によって３時間に１度の間隔で制御され、噴射量は定量噴射弁によって１回あたり０．０３ｃｃに制御されるとする。
2012076036.tif 000003
【００１８】
以下に、本発明の他の実施例を記載する。
本発明のエアゾール作動装置に使用されるエアゾールの密封容器は、図１０或いは図１１に示すように、噴射されるべき内容物を収容する主部１０５ａと、主部１０５ａに向かって押し込まれることによりその中心穴を介して内容物がエアゾール外へ噴射されることを可能にするステム１０５ｂ（ステム１０５ｂに向かって主部１０５ａが押し込まれて中心穴を介して内容物がエアゾール外へ噴射されることを可能にされても良い。また、主部１０５ａの長手方向に対してステム１０５ｂの長手方向が傾けられて、中心穴を介して内容物がエアゾール外へ噴射されることを可能にされても良い。）と、主部１０５ａのエアゾールの挿入方向における移動を制限するための肩部１０５ｃとを有している。主部１０５ａ（又はそれへの装着物）の円周方向の一部には突起又は溝等が形成されてエアゾール主部１０５ａはその挿入方向（主部の高さ方向、主部の長手方向）の軸線に対して非軸対称形（図示されない）となり、主部１０５ａの円周方向（回転方向）位置が決定される。
【００１９】
また、主部１０５ａ上には、エアゾールの挿入方向において並べられた、マークを形成する被検知部分１０６ａ，１０６ｂ，１０６ｃが設けられる。被検知部分１０６ａ，１０６ｂ，１０６ｃは、図１０に示されるように主部１０５ａ上に印刷された領域の組合せであっても良いし、図１１に示されるように印刷された領域と印刷されない領域との組合せであっても良いし、印刷されない領域の組合せであっても良い。また、被検知部分１０６ａ，１０６ｂ，１０６ｃは、エアゾールの挿入方向においてエアゾール上に並べられた突起及び／又は非突起の組合せであっても良いし、エアゾールの挿入方向においてエアゾール上に並べられた凹み及び／又は非凹みの組合せであっても良い。
それらの組合せ間の被検知部分１０６ａ，１０６ｂ，１０６ｃの配列パターンにおける違い或いは計数される被検知部分１０６ａ，１０６ｂ，１０６ｃの数の違いは、エアゾールの内容物の種類、濃度及び／又は量等の違いに相当し、エアゾール作動装置の作動制御に利用される。例えば、被検知部分１０６ａ，１０６ｂ，１０６ｃの組合せ間の配列パターンにおける違いは、エアゾールの内容物の使用可能期間の違いに相当する。
【００２０】
エアゾールは更に、主部１０５ａの少なくとも一部を（場合によっては肩部５ｃをも）覆って固定されるカバーを、密封容器に追加して有しても良く、更に、被検知部分１０６ａ，１０６ｂ，１０６ｃは、カバー上においてエアゾールの挿入方向において並べられる。
【００２１】
エアゾール作動装置は、図１０と図１１に示されるように、エアゾールを収容しエアゾールの肩部１０５ｃと係合してエアゾールの挿入方向の移動を制限する本体１０１ａと、ステム１０５ｂの中心穴に対応する中心穴を備えエアゾールのステム１０５ｂを押し付けて開口させるための可動子１０２ａと本体１０１ａに固定されて可動子１０２ａを磁気的に駆動するためのコイル１０２ｂとで構成される弁駆動機構としての電磁ソレノイドと、被検知部分１０６ａ，１０６ｂ，１０６ｃの検知された配列パターンにおける違い或いは計数された被検知部分１０６ａ，１０６ｂ，１０６ｃの数に応じて電磁ソレノイドの動作を制御するコントローラー１０３と、被検知部分１０６ａ，１０６ｂ，１０６ｃの配列パターンを読取るよう挿入方向に並べられた図１１に示されるようなセンサー部分１０４ａ，１０４ｂ，１０４ｃ（光学的センサー）或いは図１０に示される被検知部分１０６ａ，１０６ｂ，１０６ｃの数をエアゾール挿入移動時に計数するセンサー１０４ｘ（光学的センサー）或いは被検知部分１０６ａ，１０６ｂ，１０６ｃが構成する配列パターンを有するバーコードを読取るバーコードリーダー（図示せず）であるセンサー或いは被検知部分１０６ａ，１０６ｂ，１０６ｃの配列パターンを読取るよう挿入方向に並べられたセンサー部分（接触スイッチ、いわゆるリミットスイッチ）を有する。エアゾール作動装置は、モーターとリンクの組合せ或いはモーターとカムとの組合せ等により構成されても良い。
【００２２】
本体１０１ａは更に、エアゾールが本体１０１ａに挿入された後にエアゾールに向かって捩じ込まればね１０１ｃを介してエアゾールの肩部１０５ｃを本体１０１ａに押付けてエアゾールの挿入方向の位置を固定する蓋１０１ｂを有する。エアゾールの肩部１０５ｃが本体１０１ａに押付けられるので、エアゾールの挿入方向位置が限定され、センサーと被検知部分１０６ａ，１０６ｂ，１０６ｃとの間の挿入方向における位置整合を実現する。蓋１０１ｂによりばね１０１ｃを介して本体１０１ａに内に固定されたエアゾールのステム１０５ｂが可動子１０２ａにより押し込まれると、ステム１０５ｂの中心穴から噴射された内容物は可動子１０２ａの中心穴と本体１０１ａの排気口１０１ｄを通ってエアゾール作動装置外に放出される。蓋１０１ｂが締め込まれた状態におけるばね１０１ｃによるエアゾールの肩部１０５ｃの本体１０１ａへの押付け力は、エアゾール作動装置によるエアゾールのステム１０５ｂの押付け力より大きく、エアゾールの肩部１０５ｃが本体１０１ａから離れることは無い。また、ばねに代えてエアゾールの底面に達する高さ（長さ）の蓋を軸線方向に回動上下させるようにしてもよい。
本体１０１ａは、主部１０５ａの非軸対称形と係合して、エアゾールの回転方向位置を限定し、センサーと被検知部分１０６ａ，１０６ｂ，１０６ｃとの間の回転方向における位置整合を実現する。主部１０５ａ上に装着されるカバーが、非軸対称形を有して本体１０１ａと係合し、エアゾールの回転方向位置を限定するなら、主部１０５ａが軸対称形を有することでエアゾールの回転方向位置を限定しなくても良い。
【００２３】
コントローラー１０３は、被検知部分１０６ａ，１０６ｂ，１０６ｃの配列パターン或いは計数された被検知部分１０６ａ，１０６ｂ，１０６ｃの数に応じて、即ち、エアゾールの内容物の種類、濃度、量等に応じて、可動子１０２ａがステム１０５ｂを継続的に押し込んでいる時間及び／又は可動子１０２ａがステム１０５ｂを押し込むことを防止される時間を制御したり、被検知部分１０６ａ，１０６ｂ，１０６ｃの配列パターン或いは計数された被検知部分１０６ａ，１０６ｂ，１０６ｃから読取れるエアゾールの使用可能時間と電磁ソレノイドを駆動して可動子１０２ａがステム１０５ｂを押し込んでいた時間の総和を比較して交換の必要をインジケーターやアラームを介して表示したりする。
【符号の説明】
【００２４】
１ａ  エアゾール収容部
２ａ  駆動部材
２ｂ，２ｃ，２ｄ  ギア
２ｅ  モーター
３  コントローラー
４ａ，４ｂ，４ｃ  センサー
５ａ  主部
５ｂ  ステム
５ｃ  肩部
５ｄ  ステム中心穴
５ｅ  ステム嵌合パーツ貫通穴
５ｇ  カバー
５ｈ  カバー
６ａ，６ｂ，６ｃ  被検知部分
９  ステム嵌合パーツ
１０  センサー
【図１】
2012076036.tif 000004
【図２】
2012076036.tif 000005
【図３】
2012076036.tif 000006
【図４】
2012076036.tif 000007
【図５】
2012076036.tif 000008
【図６】
2012076036.tif 000009
【図７】
2012076036.tif 000010
【図８】
2012076036.tif 000011
【図９】
2012076036.tif 000012
【図１０】
2012076036.tif 000013
【図１１】
2012076036.tif 000014